(57)【特許請求の範囲】
【請求項１】
一本の鋼線を屈成して構成した受け台本体と、他の鋼線を屈折してなるセパレータとからなる受け台であって、受け台本体は、一本の鋼線の両端部を外側に開く係止鈎１ａ・１ａとして屈成し上記各係止鈎１ａ・１ａから内側下向きに一定の傾斜を付して対向させた傾斜状の上部基台１・１と、上部基台１・１の下端１ｂ・１ｂから略垂直方向に下降し、所定の脚長を保って上方に立上がらせた左右の直立脚２・２と、この左右の直立脚２・２の立上がり端からそれぞれ略水平の斜め前方に延びる横杆が合体部３ｂで合体する下部基台３・３と、下部基台３・３の合体部３ｂから更に前方に延びる水平部３ａと、水平部３ａの端部から上記左右の直立脚２・２と同じ脚長で垂直方向に屈折された前部直立脚４とからなり、一方、セパレータ５は、鋼線を直角鈎形に屈折してなる水平方向の上横杆５ａと垂直下方に延びる下垂杆５ｂとからなり、上記セパレータ５の上横杆５ａを上記受け台本体の水平部３ｂに固定すると共に下垂体５ｂを垂直下方に指向させて受け台を構成し、中空スラブ管の下半周を、上記傾斜状の上部基台１・１と、下部基台３・３の合体部３ｂの３点に内接させて支持するようにしたことを特徴とする中空スラブ管の受け台。
【請求項２】
下部基台３・３の横杆が、左右の直立脚２・２の立ち上がり端を上記上部基台１・１の下端１ｂ・１ｂに近い位置まで延長し、その位置から上記合体部３ｂに向かって下降して延びる下り傾斜を有する横杆である請求項１記載の中空スラブ管の受け台。
【請求項３】
受け台本体の水平部３ｂに取付けられるセパレータ５の上横杆５ａをカシメ等の非溶接手段によって固定した請求項１又は２記載の中空スラブ管の受け台。
【発明の詳細な説明】
【０００１】
【発明の属する技術分野】
この発明は、近年の鉄筋コンクリート建造物等において、各階スラブに使用される中空パイプの位置決め並びに浮き上り防止のための受け台の改良構造に関するものである。
【０００２】
【従来の技術】
近年の鉄筋・鉄筋コンクリート造の建造物における各階の立柱スパンを拡大する目的で、特に床及び天井等、水平部分のコンクリート重量を軽減させる手段として、所定径の軽量金属管を埋め込む工法が採用されている。この場合、該中空パイプの位置決め及びパイプの浮き止めの必要上、型枠を利用した受け台を取付けるのが必須とされていた。
【０００３】
而して従来の受け台は、図５に例示したように所定径の鋼線からなり、両下端に防錆処理（ロ）を施した逆Ｕ字状脚杆（イ）を一定間隔で対置し、両脚杆（イ）（イ）の頂点間に中空パイプ（Ｐ）の円周率に見合う曲率の半円状基台（ハ）を溶着するとともに、互いに対置された両脚杆（イ）（イ）が形成する四本の直立脚（ニ）の内、斜め方向に対向するいづれか一組の直立脚（ニ）（ニ）間に連結杆（ホ）を架設固定し、更に上記基台（ハ）の中央部には、直角鈎型線材の下端に型枠（ヘ）を貫通する六角頭部（ト）を設け、その中間に剪断用のＶカット部（チ）を備えてなるセパレータ（リ）を溶接した構造のものが広く知られている。
そして該受け台の実際の施工に当たっては、上記型枠（ヘ）の下面に露出するセパレータ（リ）の六角頭部（ト）と係合してセパレータ（リ）を張引可能な楔形座金（例えば図４を参照）を介して受け台本体を固定した上、上記半円状の基台（ハ）上に載置される中空パイプ（Ｐ）の上半周を、各受け台の基台（ハ）上端の係止鈎（ヌ）に係着される番線（ル）等によって緊縛して強く固定するものである。
【０００４】
【発明が解決しようとする課題】
上記構成の受け台は２個の逆Ｕ字形脚杆（イ）（イ）、半円形の基台（ハ）、連結杆（ホ）及び直角鈎型のセパレータ（リ）の５部材からなり、これらを計５ヶ所で溶接するという複雑なものであったため、生産コストが高騰するだけでなく、四本の直立脚（ニ）の下端の不揃いなどに起因する設置の不安定性も大きな課題の一つとされていた。
【０００５】
【課題を解決するための手段】
本発明は、上記従来の受け台の持つ課題を克服することを目的として鋭意、思索を重ねて来た結果、先ずコストの低廉を計る上では受け台の溶接ヶ所を極力少なくするか、皆無とすることを可能にすると同時に、受け台の脚数を四脚の場合の脚端に要求される高い製作精度を、三脚とすることによって大幅に緩和することに成功したものである。
【０００６】
即ち、受け台本体は一本の鋼線によって構成されるものとし、一本の鋼線の両端部を外側に開く係止鈎として屈成し上記各係止鈎から内側下向きに一定の傾斜を付して対向させた傾斜状の上部基台と、上部基台の下端から略垂直方向に下降し、所定の脚長を保って上方に立上がらせた左右の直立脚と、この左右の直立脚の立上がり端からそれぞれ略水平の斜め前方に延びる横杆が合体部で合体する下部基台と、下部基台の合体部から更に前方に延びる水平部と、水平部の端部から上記左右の直立脚と同じ脚長で垂直方向に屈折された前部直立脚とからなるものとして、上端に係止鈎を備えた上部基台と、鼎立する直立脚と、各直立脚を連結する横杆からなる下部基台とで受け台本体とし、その水平部にセパレータの上横杆を固定するという手段を用いたものである。又、下部基台の横杆が、左右の直立脚の立ち上がり端を上記上部基台の下端に近い位置まで延長し、その位置から上記合体部に向かって下降して延びる下り傾斜を有する横杆であるという手段も用いた。更に又、受け台本体の水平部に取付けられるセパレータの上横杆をカシメ等の非溶接手段によって固定するという手段も併用したものである。
【０００７】
【発明の実施の形態】
以下、本発明に係る受け台の構成を図面に示す実施の形態に基づいて更に詳述すると、図１は本発明の受け台本体を示すもので、その全体が５〜８番程度の太さの一本の鋼線（番線）から構成され、その１・１は両端部に係止鈎１ａ・１ａを屈成し上記係止鈎１ａ・１ａから下向きに一定の傾斜を付してなる上部基台、２・２は上部基台１・１の下端１ｂ・１ｂから略垂直方向に下降し、所定の脚長（Ｌ）を保って上方に立上がらせた左右の直立脚、３・３は上記左右の直立脚２・２の立上がり端からそれぞれ略水平に斜め前方に延びて合体する下部基台、又４は下部基台３の合体部３ｂから更に前方に延びる水平部３ａを介して上記左右の直立脚２・２と同じ脚長（Ｌ）で垂直方向に屈折された前部直立脚である。
【０００８】
上記構成とした受け台本体は、これに搭載される中空パイプ（Ｐ）の上半周を上部基台両端の係止鈎１ａ・１ａを利用して別途番線（図示せず）等で強く緊縛することは、猶従前におけるこの種の受け台と同様であるが、その際、同パイプ（Ｐ）の下半周が傾斜状の上部基台１・１と、下部基台３・３の合体部３ｂの３点に内接して支持され、安定的な位置決めが行えるのである。
【０００９】
尚、下部基台３・３は上述したように左右の直立脚２・２の立上がり端から斜め前方に向けて略水平に屈折するものに限られず、左右の直立脚２・２の立上がり端を上部基台１・１の下端１ｂ・１ｂに近い位置まで延長し、その位置から上記合体部３ｂに向かって下降させて下部基台３’・３’としてもよい（図１の点線部分参照）。これによれば、受け台上に搭載される中空パイプ（Ｐ）の下半周は、その上側面が上部基台１・１に、又該パイプ（Ｐ）の下側面が上開き状の下部基台３’・３’又は同時に合体部３ｂのそれぞれに内接して一層安定性を増大させ得るのである。更に上述の各実施例における三本の直立脚２・４の下端部には、必要に応じてプラスチック材等を塗布又は包着して防錆措置を講ずることは当然である。
【００１０】
以上は、本発明の受け台本体の実施形態について述べたのであるが、図３に示し、符号５で表した部材は同じ鋼線を直角鈎形に屈折してなるセパレータであって、その上横杆５ａを上記受け台本体の前部直立脚３の水平部３ａ上に溶接等によって固定し、その下垂杆５ｂを垂直下方に指向させるのであるが、該下垂杆５ｂの下端は六角頭部５ｃを備え、受け台本体の各直立脚を型枠（Ｔ）上面に設定した位置で、上記六角頭部５ｃが型枠下面に露出するような長さとする一方、受け台本体の設定時における下垂杆５ｂの型枠上面上に位置してＶカット５ｄを設け、コンクリート打設後に下述する楔形座金６を取り外した後に型枠下面に露出するセパレータの六角頭部５ｃを回転させることにより、Ｖカット５ｄ部分から該下垂杆を剪断し得るようにしたものである。
【００１１】
上記セパレータ５は受け台本体の浮き上りを防止する目的であるから、両者の固定手段は、上述したような受け台の水平部３ａにセパレータの上横杆５ａを溶接するものに代えて、セパレータの上横杆５ａを水平部３ａの側方から巻着し、カシメるか、又は他の手段で強く圧締して固定するようにしてもセパレータ５の目的・効果には何ら変わりはない。
【００１２】
又、図４は楔形座金６の一例を示すもので、金属板６ａの一端部にセパレータ５の六角頭部５ｃが嵌入自在な透孔６ｂとその一側に連続して、上記六角頭部５ｃが通過不能な溝幅の長孔６ｃを通設する一方、上記透孔６ｂから長孔６ｃの末端部に向かって暫時、深さを増す楔形凹部６ｄを形成したものである。
【００１３】
従って上記楔形座金６は、その楔形凹部６ｄを上向きにして型枠（Ｔ）下面に露出したセパレータ下垂杆５ｂの六角頭部５ｃを透孔６ｂに嵌挿した上、金属板６ａの他端部を叩打するなどして該座金を型枠下面に沿って楔入すれば、長孔６ｃが六角頭部５ｃに規制されつつ移動する楔形凹部６ｄの表面によってセパレータ５を張引し、受け台本体を型枠上面に確実に固定することができるのである。
【００１４】
【発明の効果】
以上詳述したように、本発明に係る中空パイプの受け台によれば、所望径長の一本の鋼線を屈成することで受け台本体が容易に形成されること、及びその受け台本体の直立脚を鼎立状に構成したこと、更には受け台本体とセパレータの固定手段を溶接に頼るとしても一箇所の溶接作業で済むこと等々によって、従来のように別々に成形した５部材の鋼線を互いに組み合わせ、その連結部を全て溶接によって固着したものとは異なって製作上の手間が大幅に減少し、受け台を安価に提供することが可能となる他、直立脚が三本であるため受け台の設置に当たって安定性が極めて良好で施工が向上するという格別の効果が得られるのである。
【００１５】
又、特にセパレータの上横杆を受け台本体の水平部に側方から巻着してカシメ等によって固定したものは、受け台の製作に溶接作業を皆無とすることができるので、これによる工程上、又は経済上の利益は顕著なものがある。
【図面の簡単な説明】
【図１】本発明の受け台本体の正面図
【図２】中空パイプを除いた受け台本体の平面図
【図３】セパレータの一例を示す斜視図
【図４】楔形座金の一例を示す中心部の縦断面図
【図５】従来のスラブ管の受け台を例示した斜視図
【符号の説明】
１      上部基台
１ａ    係止鈎
１ｂ    下端
２      直立脚
３      下部基台
３ａ    水平部
３ｂ    合体部
４      前部直立脚
５      セパレータ
５ａ    上横杆
５ｂ    下垂杆
５ｃ    六角頭部
５ｄ    Ｖカット
６      楔形座金
６ａ    金属板
６ｂ    透孔
６ｃ    長孔
６ｄ    楔形凹部
【図１】
0003889833.tif 000002
【図２】
0003889833.tif 000003
【図３】
0003889833.tif 000004
【図４】
0003889833.tif 000005
【図５】
0003889833.tif 000006